(57)【特許請求の範囲】
【請求項１】
被写体側から、正の第１レンズ群、負の第２レンズ群、正の第３レンズ群、正の第４レンズ群からなり、
広角端から望遠端への変倍時に第１レンズ群と第２レンズ群の間隔が広がり、第２レンズ群と第３レンズ群の間隔が狭まり、第３レンズ群と第４レンズ群の間隔が狭まるように移動し、
前記第３レンズ群は、物体側から順に、正の第３前レンズ群と、負の第３中レンズ群と、正の第３後レンズ群からなり、
手振れ補正を第３中レンズ群を光軸と垂直の方向へ移動させることで行い、下記の条件式（１）を満足し
0.7＜(F12W×F12T)/(F34W×F34T)＜1.2          ・・・・（１）
但し  F12W：  広角端での第１レンズ群と第２レンズ群の合成焦点距離
F12T：  望遠端での第１レンズ群と第２レンズ群の合成焦点距離
F34T：  望遠端での第３レンズ群と第４レンズ群の合成焦点距離
また下記の条件式（２）〜（４）を満足し
0.5＜｜BX1/F3｜＜0.9                         ・・・・（２）
BX1<0                                        ・・・・（３）
F3>0                                         ・・・・（４）
但し  BX1；  防振群（第３中群）の焦点距離
F3 ；  第３群の焦点距離
さらに下記の条件式（５）を満足する
3.2＜ST_W/Fw＜4                              ・・・・（５）
但し  ST_W：  広角端で絞りと結像面の距離
FW  ：  広角端の全系焦点距離
ことを特徴とする手振れ補正ズームレンズ。
【請求項２】
請求項１に記載の手振れ補正ズームレンズおいて、さらに下記の条件式（６）を満足することを特徴とする手振れ補正ズームレンズ。
1.0＜F3/F4＜1.8                              ・・・・（６）
但し  F3：  第3レンズ群の焦点距離。
F4：  第4レンズ群の焦点距離
【請求項３】
請求項２に記載の手振れ補正ズームレンズおいて、さらに下記の条件式（７）を満足することを特徴とする手振れ補正ズームレンズ。
0.9 ＜｜BX1/F34T｜＜ 1.3                      ・・・・（７）
但し  BX1 ：  第３中レンズ群の焦点距離。
F34T：  望遠端での第３レンズ群と第４レンズ群の合成焦点距離
【発明の詳細な説明】
【技術分野】
【０００１】
本発明は、Ｆ２．８と明るく、手振れ補正機構を組み込むことができる、広角域を含む標準画角の明るい手振れ補正ズームレンズに関する。
【背景技術】
【０００２】
近年の光学設計及び製造技術の進歩により、広角域を含む標準画角のズームレンズは、Ｆナンバーが小さい以下のズームレンズが提案させている。ここで、広角域とは、一般に半画角３１°〜４５°を示す。望遠域とは、一般に半画角１０°〜１９°を示す。標準画角とは、一般的に半画角２０°〜３０°を示す。
【０００３】
従来のズームレンズの一つは、
物体側から順に、正第１レンズ群Ｇ１と負第２レンズ群Ｇ２と正又は負第３レンズ群Ｇ３と正第４レンズ群Ｇ４を有し、レンズ群Ｇ１とＧ２、及びＧ２とＧ３、及びＧ３とＧ４との空気間隔を変化させることによって変倍するズームレンズにおいて、第２レンズ群Ｇ２は物体側から順に像側に凹面を向けた負レンズを含む負レンズＬ２１、物体側に凹面を向けた負レンズを有する負レンズＬ２２、正レンズＬ２ｐと負レンズＬ２ｎの接合よりなり、物体側に対して凸面を向けた接合正レンズＬ２ｐｎを含む正レンズＬ２３、物体側に凹面を向けた負レンズＬ２４とを有し、第４レンズ群Ｇ４は物体側から順に正レンズＬ４１と少なくとも１枚の非球面レンズＬaspを備える負レンズＬ４２とを有し、非球面レンズＬaspは所定の条件を満足する（例えば、特許文献１参照）である。
【０００４】
従来技術の他のズームレンズとしては、
正、負、正、正の４群ズーム方式で、広角端での撮影画角が約７５度、全ズーム域でのＦナンバーが約２．８、変倍比が約２．５倍を実現し、尚且つ一眼レフレックスカメラの標準ズームレンズに近い大きさ（レンズ全長：９５ｍｍ前後、対物側フィルター径：φ６７ｍｍ）で、光学性能の優れた、特に一眼レフレックスカメラ等の標準ズームレンズとして好適な大口径ズームレンズ（例えば、特許文献２参照）である。
【０００５】
従来技術の他のズームレンズとしては、
物体側から順に、正の屈折力を持つ第１レンズ群、負の屈折力をもつ第２レンズ群、正の屈折力を持つ第３レンズ群、正の屈折力をもつ第４レンズ群を有し、広角端から望遠端への変倍により第１レンズ群と第２レンズ群の間隔が広がり、第２レンズ群と第３レンズ群の間隔が狭まり、第３レンズ群と第４レンズ群の間隔が狭まるように移動し、前記第３レンズ群が、物体側から順に、正の屈折力を持つ第３前群と、負の屈折力を持つ第３後群とからなり、手振れ発生時の像面補正は第３後群のみを光軸と直交する方向へ移動させることで行い、前記第４レンズ群が最も物体側に凹レンズを有する大口径ズームレンズ（例えば、特許文献３参照）である。
【先行技術文献】
【特許文献】
【０００６】
【特許文献１】特開２０００−３２１４９７号
【特許文献２】特開２００４−１０１７３９号
【特許文献３】特開２０１０−２６６５３４号
【発明の概要】
【発明が解決しようとする課題】
【０００７】
特許文献１に開示されているズームレンズは、Ｆナンバーが２．８程度であって明るいが、手振れ補正機構を配置する空間を作ることが困難であるため、手振れ補正機構を有していない。
【０００８】
特許文献２に開示されたズームレンズは、焦点距離が２４からのズームレンズであり、広角である。しかし、このズームレンズも手振れ補正機構を配置する空間を作ることが困難であるため、手振れ補正機構を有していない。
【０００９】
特許文献３に開示されたズームレンズは、手振れ補正機構を有する。しかし、手振れ補正のために光軸と直交する方向に移動させるレンズの直径が大きく、手振れ補正機構の作動力を大きく、従って手振れ機構が大型で消費電力も大きいという問題がある。
【００１０】
（発明の目的）
本発明は、従来のズームレンズの上述した問題点に鑑みてなされたものであって、Ｆ２．８程度と明るく、手振れ補正機構を組み込むことができる、広角域を含む標準画角の明るい手振れ補正ズームレンズを提供することを目的とする。
【課題を解決するための手段】
【００１１】
本発明は、
被写体側から、正の第１レンズ群、負の第２レンズ群、正の第３レンズ群、正の第４レンズ群からなり、
広角端から望遠端への変倍時に第１レンズ群と第２レンズ群の間隔が広がり、第２レンズ群と第３レンズ群の間隔が狭まり、第３レンズ群と第４レンズ群の間隔が狭まるように移動し、
前記第３レンズ群は、物体側から順に、正の第３前レンズ群と、負の第３中レンズ群と、正の第３後レンズ群からなり、
手振れ補正を第３中レンズ群を光軸と垂直の方向へ移動させることで行い、下記の条件式（１）を満足する手振れ補正ズームレンズ。
0.7＜(F12W×F12T)/(F34W×F34T)＜1.2          ・・・・（１）
但し  F12W：  広角端での第１レンズ群と第２レンズ群の合成焦点距離
F12T：  望遠端での第１レンズ群と第２レンズ群の合成焦点距離
F34W：  広角端での第３レンズ群と第４レンズ群の合成焦点距離
F34T：  望遠端での第３レンズ群と第４レンズ群の合成焦点距離
である。
【発明の効果】
【００１２】
本発明の手振れ補正ズームレンズによれば、Ｆ２．８程度と明るく、広角域を含む標準画角で、手振れ補正機構を組み込むことができる手振れ補正ズームレンズを構成できる。
【００１３】
（本発明の実施態様１）
上述した本発明の手振れ補正ズームレンズおいて、さらに下記の条件式（２）〜（４）を満足することを特徴とする手振れ補正ズームレンズ。
0.5＜｜BX1/F3｜＜0.9                          ・・・・（２）
BX1<0                                         ・・・・（３）
F3>0                                          ・・・・（４）
但し  BX1；  防振群（第３中群）の焦点距離
F3 ；  第３群の焦点距離
【００１４】
（本発明の実施態様２）
上述した本発明の手振れ補正ズームレンズおいて、さらに下記の条件式（５）を満足することを特徴とする手振れ補正ズームレンズ。
3.2＜ST_W/Fw＜4                              ・・・・（５）
但し  ST_W：  広角端で絞りと結像面の距離
FW  ：  広角端の全系焦点距離
【００１５】
（本発明の実施態様３）
上述した本発明の手振れ補正ズームレンズおいて、らに下記の条件式（６）を満足することを特徴とする手振れ補正ズームレンズ。
1.0＜F3/F4＜1.8                              ・・・・（６）
但し  F3：  第3レンズ群の焦点距離
F4：  第4レンズ群の焦点距離
【００１６】
（本発明の実施態様４）
上述した本発明の手振れ補正ズームレンズおいて、さらに下記の条件式（７）を満足することを特徴とする手振れ補正ズームレンズ。
0.9 ＜｜BX1/F34T｜＜ 1.3                      ・・・・（７）
但し  BX1 ：  第３中レンズ群の焦点距離
F34T：  望遠端での第３レンズ群と第４レンズ群の合成焦点距離
【００１７】
（条件式１の作用効果）
条件式（１）の上限を超えると、第１レンズ群と第２レンズ群の合成焦点距離が短くなって、第３レンズ群と第４レンズ群を小型化するためには有利であるが、第１レンズ群と第２レンズの有効径が大きくなり、鏡筒の被写体側部分の小径化が困難となる。
条件式（１）の下限を超えると、鏡筒の被写体側部分の小径化には有利であるが、第３レンズ群と第４レンズ群の有効径が大きくなり、さらに手振れ補正機構の小型化が困難となる。
【００１８】
（条件式２〜４の作用効果）
手振れ補正のために第３中レンズ群を光軸と垂直の方向へ移動させるが、条件式（２）〜（４）は、第３中レンズ群を正のレンズ群で挟み、手振れ補正のために移動させる第３中レンズ群を小径化するための条件である。従って、条件式（２）〜（４）を外れると、手振れ補正のために移動させる第３中レンが大径化し、手振れ補正機構のために好ましくない。
【００１９】
（条件式５の作用効果）
条件式（５）の上限を超えると、第３レンズ群と第４レンズ群の半径方向のサイズを小さくできるが、絞りと結像面が近付くため、手振れ補正機構の駆動系、絞り駆動系、フォーカス駆動系を納める空間を形成することが困難になる。
条件式（５）の下限を超えると、絞りと結像面の間隔が大きくなり、第３レンズ群と第４レンズ群の有効径が大きくなり、手振れ補正機構が大型化する。
【００２０】
（条件式６の作用効果）
条件式（６）の上限を超えると、広角端でレンズバック（バックフォーカス）が取り易いが、第４レンズ群の有効径が大きくなる。
条件式（６）の下限を超えると、第４レンズ群の小型化には有利だが、広角端でレンズバック（バックフォーカス）が小さくなる。
【００２１】
（条件式７の作用効果）
手振れ補正のために第３中レンズ群を光軸と垂直の方向へ移動させるが、条件式（７）の上限を超えると、第３中レンズ群の屈折力が小さくなり、手振れ補正のために移動させる第３中レンズ群を小径化できない。
条件式（７）の下限を超えると、手振れ補正のために移動させる第３中レンズ群を小径化できるが、第３中レンズ群を手振れ補正のために光軸直交方向へ移動させたときの収差補正が困難になる。
【図面の簡単な説明】
【００２２】
【図１】本発明の第１実施形態の手振れ補正ズームレンズの望遠端及び広角端のレンズ配置図である。
【図２】本発明の第１実施形態の手振れ補正ズームレンズの望遠端の球面収差図、非点収差図、横色収差図及び歪曲収差図である。
【図３】本発明の第１実施形態の手振れ補正ズームレンズの広角端の球面収差図、非点収差図、横色収差図及び歪曲収差図である。
【図４】本発明の第２実施形態の手振れ補正ズームレンズの望遠端及び広角端のレンズ配置図である。
【図５】本発明の第２実施形態の手振れ補正ズームレンズの望遠端の球面収差図、非点収差図、横色収差図及び歪曲収差図である。
【図６】本発明の第２実施形態の手振れ補正ズームレンズの広角端の球面収差図、非点収差図、横色収差図及び歪曲収差図である。
【図７】本発明の第３実施形態の手振れ補正ズームレンズの望遠端及び広角端のレンズ配置図である。
【図８】本発明の第３実施形態の手振れ補正ズームレンズの望遠端の球面収差図、非点収差図、横色収差図である。
【図９】本発明の第３実施形態の手振れ補正ズームレンズの広角端の球面収差図、非点収差図、横色収差図及び歪曲収差図である。
【００２３】
前記球面収差図において、ｄはｄ線、ｆはｆ線、ｃはｃ線を示す。前記非点収差図において、ｓはサジタル、ｍはメリジオナルを示す。横色収差図において、ｆはｆ線、ｃはｃ線を示す。
【発明を実施するための形態】
【００２４】
（第１実施形態）
本発明の第１実施形態の手振れ補正ズームレンズは、正の第１レンズ群ＬＧ１、負の第２レンズ群ＬＧ２、正の第３レンズ群ＬＧ３、正の第４レンズ群ＬＧ４からなり、各レンズ面NSの曲率半径R（mm）、各レンズ中心厚及びレンズの空気間隔D（mm）、各レンズのｄ線における屈折率Nd及びアッベ数ABVの値を以下に示す。
NS            R           D             Nd          ABV
1         287.4507      1.5000        1.92286     20.88
2         119.1356      7.0000        1.77250     49.62
3         963.8287      0.2000
4          64.7537      7.0000        1.72916     54.67
5         158.5256     D( 5)
6 ASPH   1000.0000      0.2000        1.51409     49.72
7          80.0000      1.0000        1.80400     46.57
8          18.1865      7.5702
9         -73.3842      0.8000        1.77250     49.62
10          60.6123      0.1500
11          47.3950      4.2000        1.90366     31.32
12        -423.2752      3.8000
13 ASPH    -21.8417      1.0000        1.58313     59.46
14         150.0793      3.0000        1.90366     31.32
15         -47.0962     D(15)
16 STOP       INF        1.0000
17 ASPH     36.5643      0.3500        1.51409     49.72
18          35.0000      5.0000        1.48749     70.24
19         -55.5339      4.0000
20          73.3223      4.0000        1.49700     81.55
21         -93.2550      3.0000
22 ASPH    -36.4863      0.8000        1.62263     58.16
23          73.6915      2.0000        1.84666     23.78
24          60.4001      1.5000
25          49.2634      6.0000        1.49700     81.55
26         -49.6333      0.8000        1.72825     28.32
27         246.0122     D(27)
28          27.4223      8.0000        1.49700     81.55
29        -101.2715      0.1000
30         102.0516      5.0000        1.54814     45.78
31         -63.6573      0.1000
32 ASPH    328.9319      1.7000        1.82080     42.71
33 ASPH     57.9834     D(33)
34            INF        2.0000        1.51633     64.14
【００２５】
上記数値表において、ASPHは、下記非球面式で示される非球面である。
非球面の式
0005722730.tif 000002
【００２６】
非球面係数の値は、以下のとおりである。
ASPH     κ               Ａ4           Ａ6           Ａ8           Ａ10
6      1.0000         1.70512E-005  -5.38646E-008   2.28612E-010  -5.65148E-013
13     1.0768        -4.39419E-006   5.89726E-008  -4.31684E-010   8.79568E-013
17     0.8347        -4.74729E-006  -6.31485E-009  -6.82357E-012   1.91883E-013
22     1.0000         8.72905E-006  -2.71141E-008   2.96450E-010  -1.30281E-012
32     1.0000        -1.12207E-005  -1.71815E-008   5.59223E-011  -1.08265E-013
33     1.0000         8.51859E-006  -2.48782E-010   1.21200E-010  -1.26208E-013
【００２７】
ASPH      Ａ12
6        6.22424E-016
13       4.77335E-016
17      -4.11272E-016
22       1.85418E-015
32      -1.49218E-016
33      -2.75597E-016
【００２８】
ズーム作動の各焦点距離 F（ｍｍ）におけるレンズ間隔の変化は、以下の通りである。
F     24.5008    37.3628    69.0533
D( 5)    2.0361    18.0000    42.4804
D(15)   19.0515    10.0047     1.1691
D(27)    5.1612     2.6000     0.9308
D(33)   39.3200    47.0950    56.7130
【００２９】
条件式の値は、以下の通りである。
条件式（１）  (F12W×F12T)/(F34W×F34T)＝1.104
条件式（２）  ｜BX1/F3｜＝0.524
条件式（３）  BX1＝-35.277
条件式（４）  F3＝67.342
条件式（５）  ST_W/Fw＝3.670
条件式（６）  F3/F4＝1.713
条件式（７）  ｜BX1/F34T｜＝1.005
【００３０】
（第２実施形態）
本発明の第２実施形態の手振れ補正ズームレンズは、正の第１レンズ群ＬＧ１、負の第２レンズ群ＬＧ２、正の第３レンズ群ＬＧ３、正の第４レンズ群ＬＧ４からなり、各レンズ面NSの曲率半径R（mm）、各レンズ中心厚及びレンズの空気間隔D（mm）、各レンズのｄ線における屈折率Nd及びアッベ数ABVの値を以下に示す。
NS            R           D             Nd          ABV
1         223.1651      1.5000        1.92286     20.88
2         100.2046      7.0000        1.77250     49.62
3         339.8399      0.2000
4          56.7549      8.0000        1.72916     54.67
5         165.9540     D( 5)
6 ASPH   1000.0000      0.2000        1.51409     49.72
7         150.0000      1.0000        1.80400     46.57
8          17.9357      7.5702
9         942.9752      0.8000        1.77250     49.62
10          31.7530      0.1500
11          28.9203      4.2000        1.90366     31.32
12         113.5656      3.8000
13 ASPH    -22.4782      1.0000        1.58313     59.46
14          58.9885      3.0000        1.90366     31.32
15         -69.1412     D(15)
16 STOP       INF        1.0000
17 ASPH     32.8511      0.3500        1.51409     49.72
18          35.0000      5.0000        1.48749     70.24
19         -37.5800      3.0000
20        -133.2637      4.0000        1.49700     81.55
21         -42.0453      3.0000
22 ASPH    -48.2790      0.8000        1.62263     58.16
23          70.5105      2.0000        1.84666     23.78
24          61.6089      1.5000
25          45.9605      6.0000        1.49700     81.55
26         -40.0659      0.8000        1.72825     28.32
27         231.4397     D(27)
28          36.3952      6.0000        1.49700     81.55
29        -103.3691      0.1000
30          70.3078      5.0000        1.71300     53.94
31          66.4761      2.0000
32 ASPH   -493.0896      1.7000        1.82080     42.71
33 ASPH    406.6728      2.0000
34        -249.2405      4.0000        1.74330     49.22
35         -62.1510     D(35)
36            INF        2.0000        1.51633     64.14
【００３１】
非球面係数の値は、以下のとおりである。
ASPH     κ           Ａ4           Ａ6           Ａ8           Ａ10
6      1.0000     1.33339E-005  -4.39872E-008   2.15884E-010  -5.49249E-013
13     1.1767    -1.23471E-007  -2.01656E-008  -5.96305E-010   8.93894E-012
17    -0.8625    -8.54206E-006   2.75687E-008  -7.79109E-011  -4.89326E-013
22     1.0000     3.60858E-006  -1.86711E-008   3.22380E-010  -1.15650E-012
32     1.0000    -4.29373E-006   6.09566E-010   5.44054E-011  -1.14750E-013
33     1.0000     7.77635E-006  -1.72392E-009   1.06308E-010  -2.40997E-013
【００３２】
ASPH       Ａ12
6        6.09401E-016
13      -4.76688E-014
17      -5.19705E-015
22       4.62677E-016
32       5.52462E-017
33       1.92308E-016
【００３３】
ズーム作動の各焦点距離 F（ｍｍ）におけるレンズ間隔の変化は、以下の通りである。
F     24.7010    38.9697    68.9013
D( 5)    3.9327    18.0000    35.0000
D(15)   19.8795    10.0047     1.1691
D(27)    4.9258     2.6000     1.8350
D(35)   33.0000    42.2290    54.0530
【００３４】
条件式の値は、以下の通りである。
条件式（１）  (F12W×F12T)/(F34W×F34T)＝0.987
条件式（２）  ｜BX1/F3｜＝0.828
条件式（３）  BX1＝-42.242
条件式（４）  F3＝51.032
条件式（５）  ST_W/Fw＝3.570
条件式（６）  F3/F4＝1.130
条件式（７）  ｜BX1/F34T｜＝1.212
【００３５】
（第３実施形態）
本発明の第３実施形態の手振れ補正ズームレンズは、正の第１レンズ群ＬＧ１、負の第２レンズ群ＬＧ２、正の第３レンズ群ＬＧ３、正の第４レンズ群ＬＧ４からなり、各レンズ面NSの曲率半径R（mm）、各レンズ中心厚及びレンズの空気間隔D（mm）、各レンズのｄ線における屈折率Nd及びアッベ数ABVの値を以下に示す。
NS            R           D             Nd          ABV
1         225.0268      1.5000        1.92286     20.88
2          99.4457      7.0000        1.77250     49.62
3         346.0720      0.2000
4          55.9284      8.0000        1.72916     54.67
5         162.0901     D( 5)
6 ASPH   1000.0000      0.2000        1.51409     49.72
7         150.0000      1.0000        1.80400     46.57
8          18.0777      7.5702
9         510.3727      0.8000        1.77250     49.62
10          27.7062      4.2000        1.90366     31.32
11         121.4131      3.8000
12 ASPH    -22.0943      1.0000        1.58313     59.46
13          54.7665      3.0000        1.90366     31.32
14         -68.5400     D(14)
15 STOP       INF        1.0000
16 ASPH     32.7486      0.3500        1.51409     49.72
17          35.0000      5.0000        1.48749     70.24
18         -37.6072      3.0000
19        -123.3617      4.0000        1.49700     81.55
20         -40.9128      3.0000
21 ASPH    -48.4806      0.8000        1.62263     58.16
22          70.6648      2.0000        1.84666     23.78
23          61.6827      1.5000
24          45.8636      6.0000        1.49700     81.55
25         -40.1696      0.8000        1.72825     28.32
26         233.5844     D(26)
27          36.3963      6.0000        1.49700     81.55
28        -102.8223      0.1000
29          70.1580      5.0000        1.71300     53.94
30          66.7691      2.0000
31 ASPH   -423.0056      1.7000        1.82080     42.71
32 ASPH    476.0939      2.0000
33        -320.8170      4.0000        1.74330     49.22
34         -64.9235     D(34)
35            INF        2.0000        1.51633     64.14
【００３６】
非球面係数の値は、以下のとおりである。
ASPH     κ            Ａ4           Ａ6           Ａ8           Ａ10
6      1.0000      1.28351E-005  -4.49291E-008   2.14600E-010  -5.50852E-013
12     1.1025      7.92379E-007  -1.71997E-008  -6.00310E-010   8.90481E-012
16    -0.8879     -8.63391E-006   2.69462E-008  -9.01939E-011  -5.13682E-013
21     1.0000      3.75402E-006  -1.74418E-008   3.20941E-010  -5.00000E-013
31     1.0000     -4.29111E-006   5.46940E-010   5.44506E-011  -1.50000E-013
32     1.0000      7.77216E-006  -1.72772E-009   1.05976E-010  -2.43316E-013
【００３７】
非球面係数の値は、以下のとおりである。
ASPH          Ａ12
6           6.10862E-016
12         -4.68955E-014
16         -5.27721E-015
21          1.81374E-015
31          5.17611E-017
32          1.87768E-016
【００３８】
ズーム作動の各焦点距離 F（ｍｍ）におけるレンズ間隔の変化は、以下の通りである。
F     23.8334    37.2362    65.5157
D( 5)    4.0884    18.0000    35.0000
D(14)   20.8266    11.1313     2.3926
D(26)    5.1400     2.6000     1.6949
D(34)   32.0120    40.7710    51.4620
【００３９】
条件式の値は、以下の通りである。
条件式（１）  (F12W×F12T)/(F34W×F34T)＝0.975
条件式（２）  ｜BX1/F3｜＝0.827
条件式（３）  BX1＝-42.147
条件式（４）  F3＝50.988
条件式（５）  ST_W/Fw＝3.605
条件式（６）  F3/F4＝1.159
条件式（７）  ｜BX1/F34T｜＝1.221
【符号の説明】
【００４０】
S             絞り
GL１          第１レンズ群
GL２          第２レンズ群
GL３          第３レンズ群
GL４          第４レンズ群
１            第１面
２            第２面
３            第３面
４            第４面
５            第５面
６            第６面
７            第７面
８            第８面
９            第９面
１０          第１０面
１１          第１１面
１２          第１２面
１３          第１３面
１４          第１４面
１５          第１５面
１６          第１６面
１７          第１７面
１８          第１８面
１９          第１９面
２０          第２０面
２１          第２１面
２２          第２２面
２３          第２３面
２４          第２４面
２５          第２５面
２５          第２５面
２６          第２６面
２７          第２７面
２８          第２８面
２９          第２９面
３０          第３０面
３１          第３１面
３２          第３２面
３３          第３３面
３４          第３４面
３５          第３５面
【図１】
0005722730.tif 000003
【図２】
0005722730.tif 000004
【図３】
0005722730.tif 000005
【図４】
0005722730.tif 000006
【図５】
0005722730.tif 000007
【図６】
0005722730.tif 000008
【図７】
0005722730.tif 000009
【図８】
0005722730.tif 000010
【図９】
0005722730.tif 000011